(57)【特許請求の範囲】
【請求項１】
初期位置と終端位置との間を指示部が往復移動して時間情報を表示する複数の表示部を備え、
一の前記表示部における前記指示部は、前記一の表示部以外の他の前記表示部のうち、少なくとも１つの前記表示部における前記指示部が前記初期位置から前記終端位置へ向けて移動する正転移動中に、前記終端位置に留まり、
複数の前記指示部は、前記終端位置から前記初期位置へ向けて一斉に移動する、
ことを特徴とする表示機構。
【請求項２】
駆動源に連結されるとともに、第１軸回りに回転可能に配置されたカムと、
前記第１軸とは異なる軸回りに回動可能に支持され、前記指示部に各別に連結された複数のレバーと、
を備え、
前記カムは、
回転方向の下流側から上流側に向かって半径が大きくなるように形成された作動面と、
前記作動面よりも前記下流側に設けられ、半径が一定となるように形成された保持面と、
を含む外周面を備え、
前記レバーは、前記カムの前記外周面に摺接する爪部を備え、
複数の前記爪部は、前記カムの前記外周面において、それぞれ前記第１軸の軸方向における異なる位置で摺接し、
一の前記爪部は、他の前記爪部のうち少なくとも１つが前記作動面に摺接しているとき、前記保持面に摺接している、
ことを特徴とする請求項１に記載の表示機構。
【請求項３】
初期位置と終端位置との間を指示部が往復移動して時間情報を表示する複数の表示部を備え、
一の前記表示部における前記指示部は、前記一の表示部以外の他の前記表示部のうち、少なくとも１つの前記表示部における前記指示部が前記初期位置から前記終端位置へ向けて移動する正転移動中に、前記終端位置に留まり、
駆動源に連結されるとともに、第１軸回りに回転可能に配置されたカムと、
前記第１軸とは異なる軸回りに回動可能に支持され、前記指示部に各別に連結された複数のレバーと、
を備え、
前記カムは、
回転方向の下流側から上流側に向かって半径が大きくなるように形成された作動面と、  
前記作動面よりも前記下流側に設けられ、半径が一定となるように形成された保持面と、
を含む外周面を備え、
前記レバーは、前記カムの前記外周面に摺接する爪部を備え、
複数の前記爪部は、前記カムの前記外周面において、それぞれ前記第１軸の軸方向における異なる位置で摺接し、
一の前記爪部は、他の前記爪部のうち少なくとも１つが前記作動面に摺接しているとき、前記保持面に摺接し、
一の前記指示部は、連結された前記レバーの回動軸と異なる軸回りに回動可能に支持され、
前記レバーは、前記指示部が付勢部材により付勢されることで、前記爪部が前記第１軸側へ向けて変位する方向に付勢されている、
ことを特徴とする表示機構。
【請求項４】
前記爪部の前記第１軸側へ向けた変位を規制する位置決め部材を備え、
前記爪部は、前記レバーが前記位置決め部材に接触した状態で、前記カムから離間している、
ことを特徴とする請求項２または３に記載の表示機構。
【請求項５】
前記複数の表示部は、所定方向に並んで配置され、
一の前記表示部における前記指示部は、前記一の表示部に対して前記所定方向の一方側に隣り合って配置された他の前記表示部における前記指示部の前記正転移動中に、前記終端位置に留まる、
ことを特徴とする請求項１から４のいずれか１項に記載の表示機構。
【請求項６】
前記表示部は、６個設けられている、
ことを特徴とする請求項１から５のいずれか１項に記載の表示機構。
【請求項７】
請求項１から６のいずれか１項に記載の表示機構を備えることを特徴とするムーブメント。
【請求項８】
請求項７に記載のムーブメントを備えることを特徴とする時計。
【発明の詳細な説明】
【技術分野】
【０００１】
本発明は、表示機構、ムーブメントおよび時計に関するものである。
【背景技術】
【０００２】
従来、曜日や時、分、秒等を扇形の目盛りで表示し、この目盛りを指す指針が目盛の初期位置から終端位置へ向かって正転移動（正転運針）後、瞬時に初期位置へ戻る逆転移動（逆転運針）を繰り返す、いわゆるレトログラード表示機構（以下、単に「表示機構」という。）を備えた時計が知られている。
例えば、特許文献１および特許文献２に記載の表示機構は、時、分または秒のいずれかを所定期間毎に区切って表示する複数の表示部を備えている。このような表示機構では、一の表示部において指針の正転移動が完了すると、他の表示部において指針の正転移動が開始されるとともに、一の表示部における指針が瞬時に初期位置へ向けて逆転移動する。
【先行技術文献】
【特許文献】
【０００３】
【特許文献１】欧州特許出願公開第１１０２１３４号明細書
【特許文献２】欧州特許出願公開第０３８９７３９号明細書
【発明の概要】
【発明が解決しようとする課題】
【０００４】
しかしながら、上述した従来構成では、一の表示部の逆転移動と、他の表示部の正転移動と、がほぼ同時に開始される。このため、一連の移動が行われる１周期の間に、全ての表示部において指針が初期位置近傍に位置する状態が複数回発生する。これにより、使用者は表示部が表示する時間を瞬時かつ正確に判別することが困難となるおそれがある。
【０００５】
そこで本発明は、時間を瞬時かつ正確に判別させることができる表示機構、ムーブメントおよび時計を提供するものである。
【課題を解決するための手段】
【０００６】
本発明の表示機構は、初期位置と終端位置との間を指示部が往復移動して時間情報を表示する複数の表示部を備え、一の前記表示部における前記指示部は、前記一の表示部以外の他の前記表示部のうち、少なくとも１つの前記表示部における前記指示部が前記初期位置から前記終端位置へ向けて移動する正転移動中に、前記終端位置に留まる、ことを特徴とする。
【０００７】
本発明によれば、一の表示部における指示部は、他の表示部のうち少なくとも１つの表示部における指示部の正転移動中に、終端位置に留まるので、正転移動中の指示部と、終端位置に留まる指示部と、により時間情報を表示することができる。したがって、使用者に表示部が表示する時間を瞬時かつ正確に判別させることができる。
【０００８】
上記の表示機構において、駆動源に連結されるとともに、第１軸回りに回転可能に配置されたカムと、前記第１軸とは異なる軸回りに回動可能に支持され、前記指示部に各別に連結された複数のレバーと、を備え、前記カムは、回転方向の下流側から上流側に向かって半径が大きくなるように形成された作動面と、前記作動面よりも前記下流側に設けられ、半径が一定となるように形成された保持面と、を含む外周面を備え、前記レバーは、前記カムの前記外周面に摺接する爪部を備え、複数の前記爪部は、前記カムの前記外周面において、それぞれ前記第１軸の軸方向における異なる位置で摺接し、一の前記爪部は、他の前記爪部のうち少なくとも１つが前記作動面に摺接しているとき、前記保持面に摺接している、ことが望ましい。
【０００９】
本発明では、レバーの爪部は、回転方向の下流側から上流側に向かって半径が大きくなるように形成されたカムの作動面と、作動面よりも下流側に設けられ、半径が一定となるように形成されたカムの保持面と、に摺接する。このため、カムを回転させることで、レバーは、爪部が第１軸から離間するように回動した後、爪部から第１軸までの距離が一定となる位置に留まる。これにより、レバーと連結された指示部を初期位置から終端位置への移動後にそのまま終端位置へ留めることができる。そして、一のレバーの爪部は、他のレバーの爪部のうち少なくとも１つがカムの作動面に摺接しているとき、カムの保持面に摺接しているので、一のレバーと連結された指示部を終端位置に留めた状態で、他のレバーと連結された指示部を初期位置から終端位置に移動させることができる。しかも、各レバーの爪部は、カムの外周面において、軸方向における異なる位置に摺接しているので、１つのカムにより、複数のレバーを動作させることができる。したがって、上述した作用効果を奏功できる表示機構を簡易な構成で実現することができる。
【００１０】
上記の表示機構において、前記爪部の前記第１軸側へ向けた変位を規制する位置決め部材を備え、前記爪部は、前記レバーが前記位置決め部材に接触した状態で、前記カムから離間している、ことが望ましい。
【００１１】
本発明によれば、一のレバーと連結された指示部が初期位置に位置する状態で、一のレバーを位置決め部材に接触させることで、カムに爪部が摺接して回転抵抗が増加することを防止できる。
【００１２】
上記の表示機構において、一の前記指示部は、連結された前記レバーの回動軸と異なる軸回りに回動可能に支持され、前記レバーは、前記指示部が付勢部材により付勢されることで、前記爪部が前記第１軸側へ向けて変位する方向に付勢されている、ことが望ましい。
【００１３】
本発明によれば、指示部が付勢部材により付勢されているので、レバーと指示部との間のバックラッシュ等により指示部がふらつくことを防止できる。したがって、指示部による時刻表示をより正確に行うことができ、使用者に表示部が表示する時間をより正確に判別させることができる。
【００１４】
上記の表示機構において、前記複数の表示部は、所定方向に並んで配置され、一の前記表示部における前記指示部は、前記一の表示部に対して前記所定方向の一方側に隣り合って配置された他の前記表示部における前記指示部の前記正転移動中に、前記終端位置に留まる、ことが望ましい。
【００１５】
本発明によれば、一の表示部における指示部は、所定方向における一方側に隣り合って配置された他の表示部における指示部の正転移動中に、終端位置に留まるので、使用者はいずれの表示部が正転移動中であるかを容易に判断することができる。したがって、使用者に表示部が表示する時間をより瞬時に判別させることができる。
【００１６】
上記の表示機構において、複数の前記指示部は、前記終端位置から前記初期位置へ向けて一斉に移動する、ことが望ましい。
【００１７】
本発明によれば、指示部の終端位置から初期位置へ向けた移動が、全ての表示部において一連の駆動が行われる１周期毎に一斉に行われるので、一周期毎の時間の判別をより容易に行うことができる。したがって、使用者に表示部が表示する時間をより瞬時に判別させることができる。
【００１８】
上記の表示機構において、前記表示部は、６個設けられている、ことが望ましい。
【００１９】
本発明によれば、１分間や１時間を６分割して表示できるので、６０秒で１分となる秒を１０秒ごとに分けて表示する場合や、６０分で１時間となる分を１０分ごとに分けて表示する場合に好適である。
【００２０】
本発明のムーブメントは、上記の表示機構を備えることを特徴とする。
【００２１】
本発明によれば、使用者に表示部が表示する時間を瞬時かつ正確に判別させることができるムーブメントを提供できる。
【００２２】
本発明の時計は、上記のムーブメントを備えることを特徴とする。
【００２３】
本発明によれば、使用者に表示部が表示する時間を瞬時かつ正確に判別させることができる時計を提供できる。
【発明の効果】
【００２４】
本発明によれば、一の表示部における指示部は、他の表示部のうち少なくとも１つの表示部における指示部の正転移動中に、終端位置に留まるので、正転移動中の指示部と、終端位置に留まる指示部と、により時間情報を表示することができる。したがって、使用者に表示部が表示する時間を瞬時かつ正確に判別させることができる。
【図面の簡単な説明】
【００２５】
【図１】実施形態に係る時計の外観図である。
【図２】実施形態に係るムーブメントの断面図である。
【図３】実施形態に係るムーブメントを裏側から見た平面図である。
【図４】実施形態に係る秒伝達車を裏側から見た斜視図である。
【図５】実施形態に係る時計の外観図である。
【図６】実施形態に係るムーブメントを裏側から見た平面図である。
【図７】実施形態に係る時計の外観図である。
【図８】実施形態に係るムーブメントを裏側から見た平面図である。
【図９】実施形態に係る時計の外観図である。
【図１０】実施形態に係るムーブメントを裏側から見た平面図である。
【図１１】実施形態の第１変形例に係る時計の外観図である。
【図１２】実施形態の第１変形例に係るムーブメントを裏側から見た平面図である。
【図１３】実施形態の第２変形例に係る秒伝達車を裏側から見た斜視図である。
【発明を実施するための形態】
【００２６】
以下、本発明の実施形態を図面に基づいて説明する。なお、本実施形態では、時計として、アナログクォーツ式の時計を一例として説明する。
一般に、時計の駆動部分を含む機械体を「ムーブメント」と称する。このムーブメントに文字板、指針を取り付けて、時計ケースの中に入れて完成品にした状態を時計の「コンプリート」と称する。
時計の基板を構成する地板の両側のうち、時計ケースのガラスのある方の側、すなわち、文字板のある方の側をムーブメントの「裏側」と称する。また、地板の両側のうち、時計ケースのケース裏蓋のある方の側、すなわち、文字板と反対の側をムーブメントの「表側」と称する。
【００２７】
図１は、実施形態に係る時計の外観図であって、１０時８分０秒を示している。
図１に示すように、時計１のコンプリートは、ケース裏蓋（不図示）およびガラス２からなる時計ケース３の内側に、ムーブメント１０、文字板１１、時針１２、分針１３を備えている。さらに、ムーブメント１０は、初期位置と終端位置との間を秒針（第１小秒針１６Ａ〜第６小秒針１６Ｆ（指示部））が往復移動して秒に関する時間情報を表示する６個の秒表示部１５（表示部）と、第１小秒針１６Ａ〜第６小秒針１６Ｆを移動（運針）させるレトログラード機構２４（図２参照）と、を有する表示機構２２備えている。
【００２８】
文字板１１は、時分に関する情報を示す目盛りと、各秒表示部１５に対応して設けられた秒に関する情報を示す目盛りと、を有する。各秒表示部１５の目盛りは、それぞれ時針１２および分針１３の回転方向に沿うように１１個並んで配置されている。各秒表示部１５の各小秒針１６Ａ〜１６Ｆは、初期位置において各秒表示部１５の目盛りのうち前記回転方向最上流に位置する目盛りを指し、終端位置において各秒表示部１５の目盛りのうち前記回転方向最下流に位置する目盛りを指す。第１小秒針１６Ａは、毎分１秒から１０秒の間で初期位置から終端位置へ向けて移動（以下、「正転移動」という。）して時間を表示する。第２小秒針１６Ｂは、毎分１０秒から２０秒の間で正転移動して時間を表示する。第３小秒針１６Ｃは、毎分２０秒から３０秒の間で正転移動して時間を表示する。第４小秒針１６Ｄは、毎分３０秒から４０秒の間で正転移動して時間を表示する。第５小秒針１６Ｅは、毎分４０秒から５０秒の間で正転移動して時間を表示する。第６小秒針１６Ｆは、毎分５０秒から６０秒の間で正転移動して時間を表示する。
【００２９】
図２は、実施形態に係るムーブメントの断面図である。
図２に示すように、ムーブメント１０は、地板２０と、地板２０の表側に配置された第１輪列受２８と、地板２０の裏側に配置された第２輪列受２９と、を備える。第２輪列受２９の裏側には、上述した文字板１１がガラス２（いずれも図１参照）を通じて視認可能に配置される。
第２輪列受２９の表側には、電池４や水晶ユニット（不図示）、回路基板（不図示）、ステップモータ３５（駆動源）、輪列機構２３等が配設される。
【００３０】
水晶ユニット（不図示）は、内部に所定の周波数で発振する水晶振動子を有するとともに、上述した回路基板に接続される。
電池４は、そのプラス極と回路基板のプラスパターンとが電池プラス端子（不図示）を介して導通し、マイナス極と回路基板のマイナスパターンとが電池マイナス端子（不図示）を介して導通する。
回路基板は、例えばＣＭＯＳ、またはＰＬＡで構成されており、水晶振動子の振動に基づいて基準信号を出力する発振部（オシレータ）と、この発振部の出力信号を分周する分周部（デバイダ）と、分周部の出力信号に基づいてステップモータ３５を駆動するモータ駆動信号を出力する駆動部（ドライバ）と、を内部に有する。
【００３１】
ステップモータ３５は、コイルブロック３０と、コイルブロック３０の磁心に接触するように配置されたステータ３１と、このステータ３１のロータ穴３１ａ内に配置され、ロータ磁石３２ａが組み込まれたロータ３２と、を備える。
【００３２】
ロータ３２は、地板２０および第１輪列受２８に対して回転可能に支持されている。すなわち、ロータ３２の上軸部３２ｂが第１輪列受２８の軸受部に軸支され、ロータ３２の下軸部３２ｃが地板２０の軸受部に軸支されている。
ロータ３２は、１秒ごとに１ステップ（本実施形態では１８０°）回転するようになっており、ロータかな３２ｄを介して後述する五番車４０に回転力を付与する。
【００３３】
輪列機構２３は、ロータ３２の回転に基づいて回転する五番車４０と、五番車４０の回転に基づいて回転する四番車４１と、四番車４１の回転に基づいて回転する三番車４２と、三番車４２の回転に基づいて回転する二番車４３と、二番車４３の回転に基づいて回転する図示しない日の裏車と、日の裏車の回転に基づいて回転する筒車４４と、五番車４０の回転に基づいて回転する秒中間車４５と、秒中間車４５の回転に基づいて回転する秒伝達車５０と、を備える。
【００３４】
五番車４０は、五番歯車４０ａ、五番上かな４０ｂおよび五番下かな４０ｃを有している。五番車４０は、地板２０および第１輪列受２８に対して回転可能に支持されている。五番上かな４０ｂ、五番歯車４０ａおよび五番下かな４０ｃは、表側から裏側に向けて順に配設されている。五番歯車４０ａは、ロータ３２のロータかな３２ｄに噛み合っている。これにより、五番車４０はロータ３２の回転に伴って回転する。
【００３５】
四番車４１は、五番車４０と三番車４２との間に配置され、地板２０および第１輪列受２８に対して回転可能に支持されている。四番車４１は、６０秒に１回転するように構成されている。
三番車４２は、四番車４１と二番車４３との間に配置され、地板２０および第１輪列受２８に対して回転可能に支持されている。
【００３６】
二番車４３は、車軸６０を有している。車軸６０は、中心軸Ｏ（第１軸）と同軸となるように延びるとともに、中心パイプ２５内に回転可能に挿通されている。中心パイプ２５は、中心軸Ｏと同軸となるように延びるとともに、地板２０に保持されている。車軸６０の上端部６０ａは、第１輪列受２８に配設されたほぞ枠６３に軸支されている。車軸６０の下端部６０ｂは、中心パイプ２５よりも下方に突出している。車軸６０の下端部６０ｂには、分針１３が取り付けられている。二番車４３は、６０分に１回転するように構成されている。
なお、以下の説明では、中心軸Ｏに沿う方向を軸方向といい、中心軸Ｏと直交する方向を径方向といい、中心軸Ｏ周りに周回する方向を周方向（所定方向）という。また、周方向のうち、中心軸Ｏ周りに時計回りに周回する方向をＣＷ方向といい、中心軸Ｏ周りに反時計回りに周回する方向をＣＣＷ方向という。
【００３７】
筒車４４は、二番車４３の中心軸Ｏと同軸となるように配置され、中心パイプ２５に回転可能に外挿されている。筒車４４は、日の裏車（不図示）等を介して二番車４３に噛み合う筒歯車４４ａを有する。筒車４４の下端部には、時針１２が取り付けられている。筒車４４は、１２時間に１回転するように構成されている。なお、時針１２は、分針１３よりも文字板１１（図１参照）側に位置する。
【００３８】
秒中間車４５は、五番車４０と秒伝達車５０との間に配置され、地板２０の裏側において地板２０に回転可能に支持されている。秒中間車４５は、秒中間歯車４５ａを有している。秒中間歯車４５ａは、五番車４０の五番下かな４０ｃに噛み合っている。これにより、秒中間車４５は、五番車４０の回転に伴って回転する。
【００３９】
秒伝達車５０は、二番車４３の中心軸Ｏと同軸となるように配置され、筒車４４に回転可能に外挿されている。秒伝達車５０は、一体に形成された秒伝達歯車５０ａおよび秒駆動カム５１（カム）を有している。秒伝達歯車５０ａは、秒中間車４５の秒中間歯車４５ａに噛み合っている。これにより、秒伝達車５０は、ステップモータ３５に連結され、秒中間車４５の回転に伴ってＣＷ方向に回転する。秒伝達車５０は、６０秒に１回転するように構成されている。
【００４０】
ここで、レトログラード機構２４は、上述した秒駆動カム５１と、秒駆動カム５１の周囲に配置された第１小秒車７１〜第６小秒車７６と、秒駆動カム５１と各小秒車７１〜７６との間に配置されたレバー（第１レバー８１〜第６レバー８６）と、を備えている。以下、レトログラード機構２４について詳述する。
【００４１】
図３は、実施形態に係るムーブメントを裏側から見た平面図であって、図１に対応する状態を示している。図４は、実施形態に係る秒伝達車を裏側から見た斜視図である。
図３および図４に示すように、秒駆動カム５１は、軸方向から見て周方向に沿う円弧状の外周縁を一部に備える板状に形成されている。秒駆動カム５１は、軸方向における同じ厚さを有する第１カム部５４から第６カム部５９を備え、各カム部５４〜５９が軸方向表側から裏側に向けて順に一体的に積層された構成とされている。以下、各カム部５４〜５９について説明する。
【００４２】
図４に示すように、第１カム部５４は、第１作動面５４ａと、第１保持面５４ｂと、第１段差面５４ｃと、により構成された外周面を備えている。第１作動面５４ａは、ＣＷ方向下流側から上流側に向かって中心軸Ｏからの距離（半径）が大きくなるように形成されている。周方向における第１作動面５４ａの両端部間の中心角は、６０°程度となっている。第１保持面５４ｂは、第１作動面５４ａよりもＣＷ方向上流側に設けられ、第１作動面５４ａのＣＷ方向上流側の端部と連なっている。第１保持面５４ｂは、中心軸Ｏからの距離が一定となるように形成されている。周方向における第１保持面５４ｂの両端部間の中心角は、３００°程度となっている。第１段差面５４ｃは、第１作動面５４ａのＣＷ方向下流側の端部、および第１保持面５４ｂのＣＷ方向上流側の端部と連なっている。第１段差面５４ｃは、径方向に沿うように延びている。本実施形態では、第１段差面５４ｃは、軸方向から見てＣＷ方向に向かって僅かに窪むように湾曲している。
【００４３】
第２カム部５５は、第２作動面５５ａと、第２保持面５５ｂと、第２段差面５５ｃと、第２退避面５５ｄと、により構成された外周面を備えている。第２作動面５５ａは、軸方向から見て第１カム部５４の第１作動面５４ａと一致するように形成されている。第２保持面５５ｂは、第２作動面５５ａよりもＣＷ方向上流側に設けられ、第２作動面５５ａのＣＷ方向上流側の端部と連なっている。第２保持面５５ｂは、中心軸Ｏからの距離が一定となるように形成されている。周方向における第２保持面５５ｂの両端部間の中心角は、２４０°程度となっている。第２段差面５５ｃは、第２保持面５５ｂのＣＷ方向上流側の端部から径方向内側に向かって、径方向に沿うように延びている。第２段差面５５ｃの径方向内側の端部は、第２作動面５５ａのＣＷ方向下流側の端部と径方向における同じ位置に形成されている。本実施形態では、第２段差面５５ｃは、第１カム部５４の第１段差面５４ｃと同一形状に形成されている。第２退避面５５ｄは、第２作動面５５ａのＣＷ方向下流側の端部、および第２段差面５５ｃの径方向内側の端部と連なり、周方向に沿って延びている。
【００４４】
第３カム部５６は、第３作動面５６ａと、第３保持面５６ｂと、第３段差面５６ｃと、第３退避面５６ｄと、により構成された外周面を備えている。第３作動面５６ａは、軸方向から見て第１カム部５４の第１作動面５４ａと一致するように形成されている。第３保持面５６ｂは、第３作動面５６ａよりもＣＷ方向上流側に設けられ、第３作動面５６ａのＣＷ方向上流側の端部と連なっている。第３保持面５６ｂは、中心軸Ｏからの距離が一定となるように形成されている。周方向における第３保持面５６ｂの両端部間の中心角は、１８０°程度となっている。第３段差面５６ｃは、第３保持面５６ｂのＣＷ方向上流側の端部から径方向内側に向かって、径方向に沿うように延びている。第３段差面５６ｃの径方向内側の端部は、第３作動面５６ａのＣＷ方向下流側の端部と径方向における同じ位置に形成されている。本実施形態では、第３段差面５６ｃは、第１カム部５４の第１段差面５４ｃと同一形状に形成されている。第３退避面５６ｄは、第３作動面５６ａのＣＷ方向下流側の端部、および第３段差面５６ｃの径方向内側の端部と連なり、周方向に沿って延びている。
【００４５】
第４カム部５７は、第４作動面５７ａと、第４保持面５７ｂと、第４段差面５７ｃと、第４退避面５７ｄと、により構成された外周面を備えている。第４作動面５７ａは、軸方向から見て第１カム部５４の第１作動面５４ａと一致するように形成されている。第４保持面５７ｂは、第４作動面５７ａよりもＣＷ方向上流側に設けられ、第４作動面５７ａのＣＷ方向上流側の端部と連なっている。第４保持面５７ｂは、中心軸Ｏからの距離が一定となるように形成されている。周方向における第４保持面５７ｂの両端部間の中心角は、１２０°程度となっている。第４段差面５７ｃは、第４保持面５７ｂのＣＷ方向上流側の端部から径方向内側に向かって、径方向に沿うように延びている。第４段差面５７ｃの径方向内側の端部は、第４作動面５７ａのＣＷ方向下流側の端部と径方向における同じ位置に形成されている。本実施形態では、第４段差面５７ｃは、第１カム部５４の第１段差面５４ｃと同一形状に形成されている。第４退避面５７ｄは、第４作動面５７ａのＣＷ方向下流側の端部、および第４段差面５７ｃの径方向内側の端部と連なり、周方向に沿って延びている。
【００４６】
第５カム部５８は、第５作動面５８ａと、第５保持面５８ｂと、第５段差面５８ｃと、第５退避面５８ｄと、により構成された外周面を備えている。第５作動面５８ａは、軸方向から見て第１カム部５４の第１作動面５４ａと一致するように形成されている。第５保持面５８ｂは、第５作動面５８ａよりもＣＷ方向上流側に設けられ、第５作動面５８ａのＣＷ方向上流側の端部と連なっている。第５保持面５８ｂは、中心軸Ｏからの距離が一定となるように形成されている。周方向における第５保持面５８ｂの両端部間の中心角は、６０°程度となっている。第５段差面５８ｃは、第５保持面５８ｂのＣＷ方向上流側の端部から径方向内側に向かって、径方向に沿うように延びている。第５段差面５８ｃの径方向内側の端部は、第５作動面５８ａのＣＷ方向下流側の端部と径方向における同じ位置に形成されている。本実施形態では、第５段差面５８ｃは、第１カム部５４の第１段差面５４ｃと同一形状に形成されている。第５退避面５８ｄは、第５作動面５８ａのＣＷ方向下流側の端部、および第５段差面５８ｃの径方向内側の端部と連なり、周方向に沿って延びている。
【００４７】
第６カム部５９は、第６作動面５９ａと、第６段差面５９ｃと、第６退避面５９ｄと、により構成された外周面を備えている。第６作動面５９ａは、軸方向から見て第１カム部５４の第１作動面５４ａと一致するように形成されている。第６段差面５９ｃは、第６作動面５９ａのＣＷ方向上流側の端部から径方向内側に向かって、径方向に沿うように延びている。第６段差面５９ｃの径方向内側の端部は、第６作動面５９ａのＣＷ方向下流側の端部と径方向における同じ位置に形成されている。本実施形態では、第６段差面５９ｃは、第１カム部５４の第１段差面５４ｃと同一形状に形成されている。第６退避面５９ｄは、第６作動面５９ａのＣＷ方向下流側の端部、および第６段差面５９ｃの径方向内側の端部と連なり、周方向に沿って延びている。
【００４８】
図３に示すように、第１小秒車７１〜第６小秒車７６は、軸方向から見た秒伝達車５０の周囲において、ＣＷ方向にこの順で等間隔に配置されている。
第１小秒車７１は、中心軸Ｏから見て文字板１１の１時を示す位置に設けられている。図２に示すように、第１小秒車７１は、第１小秒かな７１ａ、第１小秒上軸部７１ｂおよび第１小秒下軸部７１ｃを有している。第１小秒車７１は、第１小秒上軸部７１ｂが地板２０に軸支され、第１小秒下軸部７１ｃが第２輪列受２９に軸支されることで、軸方向に沿う軸回りに回動可能に支持されている。第１小秒下軸部７１ｃは、第２輪列受２９よりも下方に突出している。第１小秒下軸部７１ｃの先端部には、第１小秒針１６Ａが取り付けられている。
【００４９】
図３に示すように、第１小秒車７１には、第１復針ばね７７Ａ（付勢部材）が取り付けられている。第１復針ばね７７Ａは、ぜんまいばねであって、中心側の一端部が第１小秒車７１に固定されるとともに、外周側の他端部が地板２０に固定されている。第１復針ばね７７Ａは、第１小秒車７１を裏側から見て反時計回りに付勢している。
【００５０】
図２および図３に示すように、第２小秒車７２〜第６小秒車７６は、それぞれ第１小秒車７１と同様に構成され、小秒かな（第２小秒かな７２ａ〜第６小秒かな７６ａ）、小秒上軸部（第２小秒上軸部〜第５小秒上軸部（不図示）、第６小秒上軸部７６ｂ）、および小秒下軸部（第２小秒下軸部７２ｃ〜第６小秒下軸部７６ｃ）を有している。各小秒下軸部７２ｃ〜７６ｃの先端部には、それぞれ小秒針（第２小秒針１６Ｂ〜第６小秒針１６Ｆ）が取り付けられている。各小秒車７２〜７６は、第１小秒車７１と同様に、復針ばね（第２復針ばね７７Ｂ〜第２復針ばね７７Ｆ（付勢部材））により裏側から見て反時計回りに付勢されている。
【００５１】
図３に示すように、第１レバー８１〜第６レバー８６は、中心軸Ｏとは異なる軸回りに回動可能に支持され、各小秒針１６Ａ〜１６Ｆに各別に連結されている。各レバー８１〜８６は、ＣＷ方向にこの順で等間隔に配置され、秒駆動カム５１の外周面に接触可能に設けられている。
【００５２】
第１レバー８１は、軸方向に厚みを有する板状に形成されている。第１レバー８１は、秒伝達車５０の第１カム部５４よりも薄く形成され、軸方向において第１カム部５４と同じ位置に配置されている。第１レバー８１は、第１レバー回動軸Ｐ１回りに回動可能に支持されている。第１レバー回動軸Ｐ１は、軸方向から見て秒伝達車５０よりも径方向の外側に位置している。第１レバー８１は、軸方向から見て扇状に形成された本体部８１ａと、本体部８１ａからＣＷ方向に向かって延びる従節８１ｂと、本体部８１ａの基端部からＣＣＷ方向に向かって延びる規制部８１ｃと、を備えている。本体部８１ａの基端部には、軸部８１ｄが圧入されている。軸部８１ｄは、第１レバー回動軸Ｐ１と同軸に配置され、軸方向両端部において地板２０および第２輪列受２９に軸支されている。
【００５３】
本体部８１ａの外周面には、歯部８１ｅが形成されている。歯部８１ｅには、第１小秒車７１の第１小秒かな７１ａが噛み合っている。ここで、第１小秒車７１は、第１復針ばね７７Ａにより裏側から見て反時計回り側に向けて付勢されている。このため、第１レバー８１は、第１小秒車７１が第１復針ばね７７Ａにより付勢されることで、裏側から見て第１レバー回動軸Ｐ１回りに時計回りに付勢されている。
【００５４】
従節８１ｂの先端部には、径方向の内側に向かって突出する爪部８１ｆが形成されている。爪部８１ｆは、秒駆動カム５１のうち、第１カム部５４の外周面に摺接可能に設けられている。爪部８１ｆは、第１カム部５４の第１作動面５４ａおよび第１保持面５４ｂに摺接する。爪部８１ｆは、第１小秒車７１に取り付けられた第１小秒針１６Ａが終端位置（図１に示す位置）に位置する状態で、第１保持面５４ｂに摺接するように形成されている。
【００５５】
規制部８１ｃは、裏側から見て第１レバー８１が第１レバー回動軸Ｐ１回りに時計回りに回転したとき、第１位置決めピン８７Ａに当接可能とされている。第１位置決めピン８７Ａは、地板２０から裏側に向けて立設されている。規制部８１ｃは、爪部８１ｆが第１カム部５４の第１作動面５４ａおよび第１保持面５４ｂに摺接するとき、第１位置決めピン８７Ａから離間している。規制部８１ｃは、第１小秒車７１に取り付けられた第１小秒針１６Ａが初期位置に位置する状態で、第１位置決めピン８７Ａに当接するように形成されている。
【００５６】
第２レバー８２〜第６レバー８６は、それぞれ第１レバー８１と同様に構成され、軸方向から見て秒伝達車５０よりも径方向の外側に位置する回動軸（第２レバー回動軸Ｐ２〜第６レバー回動軸Ｐ６）回りにそれぞれ回動可能に支持されている。各レバー８２〜８６は、本体部（本体部８２ａ〜８６ａ）と、従節（従節８２ｂ〜８６ｂ）と、規制部（規制部８２ｃ〜８６ｃ）と、を備えている。各本体部８２ａ〜８６ａの基端部には、軸部（軸部８２ｄ〜８６ｄ）が圧入されている。各軸部８２ｄ〜８６ｄは、各レバー回動軸Ｐ２〜Ｐ６と同軸に配置され、軸方向両端部において地板２０および第２輪列受２９に軸支されている。各本体部８２ａ〜８６ａの外周面には、歯部（歯部８２ｅ〜８６ｅ）が形成されている。各歯部８２ｅ〜８６ｅには、各小秒車７２〜７６の小秒かな７２ａ〜７６ａが噛み合っている。各従節８２ｂ〜８６ｂの先端部には、径方向の内側に向かって突出する爪部（爪部８２ｆ〜８６ｆ）が形成されている。
【００５７】
第２レバー８２は、軸方向において第２カム部５５と同じ位置に配置されている。第２レバー８２は、第２復針ばね７７Ｂにより裏側から見て第２レバー回動軸Ｐ２回りに時計回りに付勢されている。爪部８２ｆは、第２カム部５５の第２作動面５５ａおよび第２保持面５５ｂに摺接する。爪部８２ｆは、第２小秒車７２に取り付けられた第２小秒針１６Ｂが終端位置（図１に示す位置）に位置する状態で、第２保持面５５ｂに摺接するように形成されている。
【００５８】
第２レバー８２の規制部８２ｃは、第２レバー８２が裏側から見て第２レバー回動軸Ｐ２回りに時計回りに回転したとき、第２位置決めピン８７Ｂに当接可能とされている。第２位置決めピン８７Ｂは、地板２０から裏側に向けて立設されている。規制部８２ｃは、爪部８２ｆが第２カム部５５の第２作動面５５ａおよび第２保持面５５ｂに摺接するとき、第２位置決めピン８７Ｂから離間している。規制部８２ｃは、爪部８２ｆが第２カム部５５の第２退避面５５ｄから僅かに離間し、かつ第２小秒車７２に取り付けられた第２小秒針１６Ｂが初期位置（図５に示す位置）に位置する状態で、第２位置決めピン８７Ｂに当接するように形成されている。
【００５９】
第３レバー８３は、軸方向において第３カム部５６と同じ位置に配置されている。第３レバー８３は、第３復針ばね７７Ｃにより裏側から見て第３レバー回動軸Ｐ３回りに時計回りに付勢されている。爪部８３ｆは、第３カム部５６の第３作動面５６ａおよび第３保持面５６ｂに摺接する。爪部８３ｆは、第３小秒車７３に取り付けられた第３小秒針１６Ｃが終端位置（図１に示す位置）に位置する状態で、第３保持面５６ｂに摺接するように形成されている。
【００６０】
第３レバー８３の規制部８３ｃは、第３レバー８３が裏側から見て第３レバー回動軸Ｐ３回りに時計回りに回転したとき、第３位置決めピン８７Ｃに当接可能とされている。第３位置決めピン８７Ｃは、地板２０から裏側に向けて立設されている。規制部８３ｃは、爪部８３ｆが第３カム部５６の第３作動面５６ａおよび第３保持面５６ｂに摺接するとき、第３位置決めピン８７Ｃから離間している。規制部８３ｃは、爪部８３ｆが第３カム部５６の第３退避面５６ｄから僅かに離間し、かつ第３小秒車７３に取り付けられた第３小秒針１６Ｃが初期位置（図５に示す位置）に位置する状態で、第３位置決めピン８７Ｃに当接するように形成されている。
【００６１】
第４レバー８４は、軸方向において第４カム部５７と同じ位置に配置されている。第４レバー８４は、第４復針ばね７７Ｄにより裏側から見て第４レバー回動軸Ｐ４回りに時計回りに付勢されている。爪部８４ｆは、第４カム部５７の第４作動面５７ａおよび第４保持面５７ｂに摺接する。爪部８４ｆは、第４小秒車７４に取り付けられた第４小秒針１６Ｄが終端位置（図１に示す位置）に位置する状態で、第４保持面５７ｂに摺接するように形成されている。
【００６２】
第４レバー８４の規制部８４ｃは、第４レバー８４が裏側から見て第４レバー回動軸Ｐ４回りに時計回りに回転したとき、第４位置決めピン８７Ｄに当接可能とされている。第４位置決めピン８７Ｄは、地板２０から裏側に向けて立設されている。規制部８４ｃは、爪部８４ｆが第４カム部５７の第４作動面５７ａおよび第４保持面５７ｂに摺接するとき、第４位置決めピン８７Ｄから離間している。規制部８４ｃは、爪部８４ｆが第４カム部５７の第４退避面５７ｄから僅かに離間し、かつ第４小秒車７４に取り付けられた第４小秒針１６Ｄが初期位置（図５に示す位置）に位置する状態で、第４位置決めピン８７Ｄに当接するように形成されている。
【００６３】
第５レバー８５は、軸方向において第５カム部５８と同じ位置に配置されている。第５レバー８５は、第５復針ばね７７Ｅにより裏側から見て第５レバー回動軸Ｐ５回りに時計回りに付勢されている。爪部８５ｆは、第５カム部５８の第５作動面５８ａおよび第５保持面５８ｂに摺接する。爪部８５ｆは、第５小秒車７５に取り付けられた第５小秒針１６Ｅが終端位置（図１に示す位置）に位置する状態で、第５保持面５８ｂに摺接するように形成されている。
【００６４】
第５レバー８５の規制部８５ｃは、第５レバー８５が裏側から見て第５レバー回動軸Ｐ５回りに時計回りに回転したとき、第５位置決めピン８７Ｅに当接可能とされている。第５位置決めピン８７Ｅは、地板２０から裏側に向けて立設されている。規制部８５ｃは、爪部８５ｆが第５カム部５８の第５作動面５８ａおよび第５保持面５８ｂに摺接するとき、第５位置決めピン８７Ｅから離間している。規制部８５ｃは、爪部８５ｆが第５カム部５８の第５退避面５８ｄから僅かに離間し、かつ第５小秒車７５に取り付けられた第５小秒針１６Ｅが初期位置（図５に示す位置）に位置する状態で、第５位置決めピン８７Ｅに当接するように形成されている。
【００６５】
第６レバー８６は、軸方向において第６カム部５９と同じ位置に配置されている。第６レバー８６は、第６復針ばね７７Ｆにより裏側から見て第６レバー回動軸Ｐ６回りに時計回りに付勢されている。爪部８６ｆは、第６カム部５９の第６作動面５９ａに摺接する。爪部８６ｆは、第６小秒車７６に取り付けられた第６小秒針１６Ｆが終端位置（図１に示す位置）に位置する状態で、第６作動面５９ａのＣＷ方向上流側の端部に摺接するように形成されている。
【００６６】
第６レバー８６の規制部８６ｃは、第６レバー８６が裏側から見て第６レバー回動軸Ｐ６回りに時計回りに回転したとき、第６位置決めピン８７Ｆに当接可能とされている。第６位置決めピン８７Ｆは、地板２０から裏側に向けて立設されている。規制部８６ｃは、爪部８６ｆが第６カム部５９の第６作動面５９ａに摺接するとき、第６位置決めピン８７Ｆから離間している。規制部８６ｃは、爪部８６ｆが第６カム部５９の第６退避面５９ｄから僅かに離間し、かつ第６小秒車７６に取り付けられた第６小秒針１６Ｆが初期位置（図５に示す位置）に位置する状態で、第６位置決めピン８７Ｆに当接するように形成されている。
【００６７】
以下、本実施形態の時計１の動作について説明する。以下の説明では、１０時８分０秒を経過した後、１０時９分１秒までの間の動作について説明する。
図３に示すように、１０時８分０秒〜１秒の間には、第１レバー８１〜第５レバー８５の爪部８１ｆ〜８５ｆは、第１保持面５４ｂ〜第５保持面５８ｂのＣＷ方向上流側の端部に摺接している。また、第６レバー８６の爪部８６ｆは、第６作動面５９ａのＣＷ方向上流側の端部に摺接している。各復針ばね７７Ａ〜７７Ｆにより付勢された各レバー８１〜８６は、第１保持面５４ｂ〜第５保持面５８ｂ、または第６作動面５９ａにより径方向内側への変位が規制されている。
【００６８】
図５は、実施形態に係る時計の外観図であって、１０時８分１秒を示している。図６は、実施形態に係るムーブメントを裏側から見た平面図であって、図５に対応する状態を示している。
図３に示す状態から、図６に示すように、秒伝達車５０がＣＷ方向に回転し、１０時８分１秒〜２秒の間となると、第１レバー８１〜第５レバー８５の爪部８１ｆ〜８５ｆは、第１段差面５４ｃ〜第５段差面５８ｃを通過して、第１保持面５４ｂ〜第５保持面５８ｂから離間する。また、第６レバー８６の爪部８６ｆは、第６段差面５９ｃを通過して、第６作動面５９ａから離間する。各レバー８１〜８６は、径方向内側へ向けて変位する。このとき、各レバー８１〜８６の歯部８１ｅ〜８６ｅと噛み合う各小秒車７１〜７６は反時計回りに回動し、各小秒車７１〜７６に取り付けられた各小秒針１６Ａ〜１６Ｆは、終端位置から初期位置へ向けて一斉に移動（帰零）する。
【００６９】
上述した１０時８分１秒〜２秒の間には、第１レバー８１の爪部８１ｆは、第１作動面５４ａのＣＷ方向下流側の端部に摺接している。また、第１レバー８１に連結された第１小秒針１６Ａは、１秒を示す位置に位置している（図５参照）。第２レバー８２〜第６レバー８６の規制部８２ｃ〜８６ｃは、各位置決めピン８７Ｂ〜８７Ｆに当接している。第２レバー８２〜第６レバー８６の爪部８２ｆ〜８６ｆは、第２退避面５５ｄ〜第６退避面５９ｄから僅かに離間している。第２レバー８２〜第６レバー８６に連結された第２小秒針１６Ｂ〜第６小秒針１６Ｆは、初期位置に位置している（図５参照）。
【００７０】
図７は、実施形態に係る時計の外観図であって、１０時８分１０秒を示している。図８は、実施形態に係るムーブメントを裏側から見た平面図であって、図７に対応する状態を示している。
図６に示す状態から、図８に示すように、秒伝達車５０がＣＷ方向に回転し、１０時８分１０秒を経過すると、第１レバー８１の爪部８１ｆは、第１作動面５４ａのＣＷ方向上流側の端部に摺接する。また、第１レバー８１に連結された第１小秒針１６Ａは、終端位置に位置している（図７参照）。第２レバー８２〜第６レバー８６は、規制部８２ｃ〜８６ｃが各位置決めピン８７Ｂ〜８７Ｆに当接した状態を維持している。
【００７１】
図９は、実施形態に係る時計の外観図であって、１０時８分１１秒を示している。図１０は、実施形態に係るムーブメントを裏側から見た平面図であって、図９に対応する状態を示している。
図８に示す状態から、図１０に示すように、秒伝達車５０がＣＷ方向に回転し、１０時８分１１秒〜１２秒の間となると、第１レバー８１の爪部８１ｆと第１カム部５４との接触位置は、第１作動面５４ａと連なる第１保持面５４ｂに移動する。また、第１レバー８１に連結された第１小秒針１６Ａは、１０秒を示す位置に留まっている（図９参照）。第２レバー８２の爪部８２ｆは、第２作動面５５ａのＣＷ方向側の端部に摺接している。また、第２レバー８２に連結された第２小秒針１６Ｂは、初期位置から１目盛り分移動している（図９参照）。第３レバー８３〜第６レバー８６は、規制部８３ｃ〜８６ｃが各位置決めピン８７Ｃ〜８７Ｆに当接した状態を維持している。
【００７２】
図１０に示す状態から秒伝達車５０がＣＷ方向にさらに回転し、１０時８分２０秒を経過すると、第３レバー８３の爪部８３ｆが第３作動面５６ａに摺接し、第３小秒針１６Ｃが正転移動する。第１レバー８１の爪部８１ｆは、第１保持面５４ｂに摺接し、第１小秒針１６Ａが終端位置に留まる。第２レバー８２の爪部８２ｆは、第２保持面５５ｂに摺接し、第２小秒針６Ｂが終端位置に留まる。
１０時８分３０秒を経過すると、第４レバー８４の爪部８４ｆが第４作動面５７ａに摺接し、第４小秒針１６Ｄが正転移動する。第１レバー８１〜第３レバー８３の爪部８１ｆ〜８３ｆは第１保持面５４ｂ〜第３保持面５６ｂに摺接し、第１小秒針１６Ａ〜第３小秒針１６Ｃが終端位置に留まる。
【００７３】
１０時８分４０秒を経過すると、第５レバー８５の爪部８５ｆが第５作動面５８ａに摺接し、第５小秒針１６Ｅが正転移動する。第１レバー８１〜第４レバー８４の爪部８１ｆ〜８４ｆは第１保持面５４ｂ〜第４保持面５７ｂに摺接し、第１小秒針１６Ａ〜第４小秒針１６Ｄが終端位置に留まる。
１０時８分５０秒を経過すると、第６レバー８６の爪部８６ｆが第６作動面５９ａに摺接し、第６小秒針１６Ｆが正転移動する。第１レバー８１〜第５レバー８５の爪部８１ｆ〜８５ｆは第１保持面５４ｂ〜第５保持面５８ｂに摺接し、第１小秒針１６Ａ〜第５小秒針１６Ｅが終端位置に留まる。
【００７４】
そして、１０時９分０秒を経過すると、各小秒針１６Ａ〜１６Ｆが全て終端位置に位置する状態となる。続いて、１０時９分０秒から１０時９分１秒までの間に、各小秒針１６Ａ〜１６Ｆは、終端位置から初期位置へ向けて一斉に帰零する。
以上により、第１小秒針１６Ａ〜第５小秒針１６Ｅは、第１小秒針１６Ａ〜第６小秒針１６Ｆのうち少なくとも１つの小秒針が初期位置から終端位置へ向けて移動する間、終端位置に留まる構成となる。
【００７５】
このように、本実施形態では、第１レバー８１〜第５レバー８５の爪部８１ｆ〜８５ｆは、ＣＷ方向の下流側から上流側に向かって半径が大きくなるように形成された各作動面５４ａ〜５８ａと、各作動面５４ａ〜５８ａよりもＣＷ方向下流側に設けられ、半径が一定となるように形成された各保持面５４ｂ〜５８ｂと、に摺接する構成とした。これにより、秒駆動カム５１を回転させることで、第１レバー８１〜第５レバー８５は、爪部８１ｆ〜８５ｆが中心軸Ｏから離間するように回動した後、爪部８１ｆ〜８５ｆから中心軸Ｏまでの距離が一定となる位置に留まる。これにより、第１レバー８１〜第５レバー８５と連結された第１小秒針１６Ａ〜第５小秒針１６Ｅを正転移動後にそのまま終端位置へ留めることができる。そして、第１レバー８１〜第５レバー８５の爪部８１ｆ〜８５ｆは、他のレバー（第２レバー８２〜第６レバー８６）の爪部８２ｆ〜８６ｆのうち少なくとも１つが作動面５５ａ〜５９ａに摺接しているとき、保持面５４ｂ〜５８ｂに摺接しているので、第１レバー８１〜第５レバー８５と連結された第１小秒針１６Ａ〜第５小秒針１６Ｅを終端位置に留めた状態で、他のレバー（第２レバー８２〜第６レバー８６）と連結された第２小秒針１６Ｂ〜第６小秒針１６Ｆを正転移動させることができる。しかも、各レバー８１〜８６の爪部８１ｆ〜８６ｆは、秒駆動カム５１の外周面において、軸方向における異なる位置に摺接しているので、１つの秒駆動カム５１により、複数のレバー８１〜８６を動作させることができる。
【００７６】
そして、本実施形態によれば、一の秒表示部１５における小秒針１６Ａ〜１６Ｆ（例えば第１小秒針１６Ａ）は、他の秒表示部１５のうち少なくとも１つの秒表示部１５における小秒針１６Ａ〜１６Ｆ（第２小秒針１６Ｂ）の正転移動中に、終端位置に留まるので、正転移動中の小秒針と、終端位置に留まる小秒針と、により時間情報を表示することができる。したがって、使用者に秒表示部１５が表示する時間を瞬時かつ正確に判別させることができる。
【００７７】
また、第２レバー８２〜第６レバー８６の爪部８２ｆ〜８６ｆは、第２レバー８２〜第６レバー８６が位置決めピン８７Ｂ〜８７Ｆに接触した状態で、秒駆動カム５１から離間している。この構成によれば、第２レバー８２〜第６レバー８６と連結された各小秒針１６Ｂ〜１６Ｆが初期位置に位置する状態で、第２レバー８２〜第６レバー８６の規制部８２ｃ〜８６ｃを位置決めピン８７Ｂ〜８７Ｆに接触させることで、秒駆動カム５１に爪部８２ｆ〜８６ｆが摺接して回転抵抗が増加することを防止できる。
【００７８】
また、各小秒針１６Ａ〜１６Ｆが各復針ばね７７Ａ〜７７Ｆにより付勢されているので、各レバー８１〜８６と各小秒針１６Ａ〜１６Ｆとの間のバックラッシュ等により各小秒針１６Ａ〜１６Ｆがふらつくことを防止できる。したがって、各小秒針１６Ａ〜１６Ｆによる時刻表示をより正確に行うことができ、使用者に秒表示部１５が表示する時間をより正確に判別させることができる。
【００７９】
また、一の秒表示部１５における小秒針（第２小秒針１６Ｂ〜第６小秒針１６Ｆ）は、ＣＷ方向上流側に隣り合って配置された他の秒表示部１５における小秒針（第１小秒針１６Ａ〜第５小秒針１６Ｅ）の正転移動中に、終端位置に留まるので、使用者はいずれの秒表示部１５が正転移動しているかを容易に判断することができる。したがって、使用者に秒表示部１５が表示する時間をより瞬時に判別させることができる。
【００８０】
また、各小秒針１６Ａ〜１６Ｆの終端位置から初期位置へ向けた移動が、全ての秒表示部１５において一連の駆動が行われる１周期（本実施形態では６０秒）毎に一斉に行われるので、一周期毎の時間の判別をより容易に行うことができる。したがって、使用者に秒表示部１５が表示する時間をより瞬時に判別させることができる。
【００８１】
そして、本実施形態によれば、使用者に秒表示部１５が表示する時間を瞬時かつ正確に判別させることができるムーブメント１０および時計１を提供できる。
【００８２】
なお、上記実施形態では、秒表示部１５は、秒針（第１小秒針１６Ａ〜第６小秒針１６Ｆ）が初期位置と終端位置との間を往復移動して秒に関する時間情報を表示しているが、これに限定されない。
図１１は、実施形態の第１変形例に係る時計の外観図である。図１２は、実施形態の第１変形例に係るムーブメントを裏側から見た平面図である。なお、図１から図３に示す実施形態と同様の構成については、同一符号を付して詳細な説明を省略する（以下の変形例についても同様）。
図１１に示すように、文字板１１１には、各秒表示部１１５に対応して、６個のゲージ孔１１８が形成されている。各ゲージ孔１１８は、各小秒車７１〜７６の回動中心を中心とする扇状に形成されている。
【００８３】
図１２に示すように、各小秒車７１〜７６の小秒下軸部７１ｃ〜７６ｃの先端部には、秒表示板（第１秒表示板１１９Ａ〜第６秒表示板１１９Ｆ（指示部））が取り付けられている。各秒表示板１１９Ａ〜１１９Ｆは、各小秒車７１〜７６の回動中心を中心とする扇状に形成されている。各秒表示板１１９Ａ〜１１９Ｆは、軸方向から見て各ゲージ孔１１８から退避した位置を初期位置とし、各ゲージ孔１１８を閉塞する位置を終端位置とするように構成されている。
【００８４】
このように構成することで、各秒表示部１１５において各秒表示板１１９Ａ〜１１９Ｆがゲージ孔１１８を徐々に塞いでいくことにより時間の進行を表現することができるので、秒に関する時間情報を表示することが可能となる。
【００８５】
また、上記実施形態では、第２小秒針１６Ｂ〜第６小秒針１６Ｆの正転移動中には、既に正転移動が完了した全ての小秒針が、終端位置に留まる。そして、各小秒針１６Ａ〜１６Ｆは、終端位置から初期位置へ向けて一斉に移動する。しかしながら、これに限定されず、小秒針１６Ａ〜１６Ｆは、終端位置に一定期間留まった後、順次初期位置へ向けて移動してもよい。以下、上記動作を実現する構成について説明する。
【００８６】
図１３は、実施形態の第２変形例に係る秒伝達車を裏側から見た斜視図である。
図１３に示すように、秒伝達車１５０は、一体に形成された秒伝達歯車５０ａ（図２参照）および秒駆動カム１５１を有している。秒駆動カム１５１は、第１実施形態と同様に、同じ軸方向における厚さを有する第１カム部１５４から第６カム部１５９を備え、各カム部１５４〜１５９が軸方向表側から裏側に向けて順に一体的に積層された構成とされている。
【００８７】
第１カム部１５４は、第１作動面１５４ａと、第１保持面１５４ｂと、第１段差面１５４ｃと、第１退避面１５４ｄと、により構成された軸方向に沿う外周面を備えている。第１作動面１５４ａは、第１実施形態における第１作動面５４ａと同様に形成され、ＣＷ方向下流側から上流側に向かって中心軸Ｏからの距離が大きくなるように形成されている。第１保持面１５４ｂは、第１作動面１５４ａよりもＣＷ方向上流側に設けられ、第１作動面１５４ａのＣＷ方向上流側の端部と連なっている。第１保持面１５４ｂは、中心軸Ｏからの距離が一定となるように形成されている。周方向における第１保持面１５４ｂの両端部間の中心角は、１２０°程度となっている。第１段差面１５４ｃは、第１保持面１５４ｂのＣＷ方向上流側の端部から径方向内側に向かって、径方向に沿うように延びている。第１段差面１５４ｃの径方向内側の端部は、第１作動面１５４ａのＣＷ方向下流側の端部と径方向における同じ位置に形成されている。第１段差面１５４ｃは、軸方向から見てＣＷ方向に向かって僅かに窪むように湾曲している。第１退避面１５４ｄは、第１作動面１５４ａのＣＷ方向下流側の端部、および第１段差面１５４ｃの径方向内側の端部と連なり、周方向に沿って延びている。
【００８８】
第２カム部１５５〜第６カム部１５９は、軸方向から見て第１カム部１５４と同一形状に形成されている。すなわち、秒駆動カム１５１は、第１カム部１５４が軸方向に沿って表側から裏側に向かって延在した形状となっている。秒駆動カム１５１は、第１作動面１５４ａが軸方向に沿って延びた作動面１５１ａと、第１保持面１５４ｂが軸方向に沿って延びた保持面１５１ｂと、第１段差面１５４ｃが軸方向に沿って延びた段差面１５１ｃと、第１退避面１５４ｄが軸方向に沿って延びた退避面１５１ｄと、を備えている。
【００８９】
以下、本変形例の時計の動作について説明する。なお、上述した実施形態と同様の動作については、詳細な説明を省略する。
１０時８分１秒〜１０秒の間には、第１レバー８１の爪部８１ｆは、作動面１５１ａに摺接し、第１小秒針１６Ａが正転移動する。第５レバー８５の爪部８５ｆ、および第６レバー８６の爪部８６ｆは、保持面１５１ｂに摺接し、第５小秒針１６Ｅおよび第６小秒針１６Ｆが終端位置に留まる。第２レバー８２〜第４レバー８４は、規制部８２ｃ〜８４ｃが各位置決めピン８７Ｂ〜８７Ｄに当接した状態を維持し、第２小秒針１６Ｂ〜第４小秒針１６Ｄが初期位置に位置している。
【００９０】
１０時８分１０秒を経過すると、第５レバー８５の爪部８５ｆは、段差面１５１ｃを通過して、保持面１５１ｂから離間する。第５レバー８５は、径方向内側へ向けて変位する。第５小秒針１６Ｅは、終端位置から初期位置へ向けて移動する。また、第２レバー８２の爪部８２ｆは、作動面１５１ａに摺接する。
【００９１】
１０時８分１１秒〜２０秒の間には、第２レバー８２の爪部８２ｆは、作動面１５１ａに摺接し、第２小秒針１６Ｂが正転移動する。第１レバー８１の爪部８１ｆ、および第６レバー８６の爪部８６ｆは、保持面１５１ｂに摺接し、第１小秒針１６Ａおよび第６小秒針１６Ｆが終端位置に留まる。第３レバー８３〜第５レバー８５は、規制部８３ｃ〜８５ｃが各位置決めピン８７Ｃ〜８７Ｅに当接した状態を維持し、第３小秒針１６Ｃ〜第５小秒針１６Ｅが初期位置に位置している。
【００９２】
１０時８分２０秒を経過すると、第６レバー８６の爪部８６ｆは、段差面１５１ｃを通過して、保持面１５１ｂから離間する。第６レバー８６は、径方向内側へ向けて変位する。第６小秒針１６Ｆは、終端位置から初期位置へ向けて移動する。また、第３レバー８３の爪部８３ｆは、作動面１５１ａに摺接する。その後、他の各レバーについても、上述した動作と同様に動作する。
以上により、各小秒針１６Ａ〜１６Ｆが終端位置に一定期間（本変形例では２０秒）留まった後、順次初期位置へ向けて移動する構成とすることができる。
【００９３】
なお、本発明は、図面を参照して説明した上述の実施形態に限定されるものではなく、その技術的範囲において様々な変形例が考えられる。
例えば、上記実施形態においては、表示機構２２は秒に関する時間情報を表示しているが、これに限定されず、表示機構は、時や分に関する時間情報を表示するように構成されていてもよい。
【００９４】
また、上記実施形態においては、秒駆動カム５１，１５１は、各カム部５４〜５９，１５４〜１５９が軸方向表側から裏側に向けて順に一体的に積層された構成とされているが、これに限定されない。秒駆動カムは、別体で形成された各カム部に対応する部材が積層された構成であってもよい。
【００９５】
また、上記実施形態においては、秒表示部１５，１１５が６個設けられているが、これに限定されず、秒表示部は複数個設けられていればよい。
【００９６】
また、上記実施形態においては、各小秒針１６Ａ〜１６Ｆは、終端位置から初期位置へ向けて一斉、または周方向に沿って順次移動する構成とされているが、これに限定されない。各小秒針１６Ａ〜１６Ｆは、終端位置に所定期間留まった後、終端位置から初期位置へ向けて戻るタイミングは任意に設定可能である。
【００９７】
また、上記実施形態においては、時計の一例としてアナログクォーツ式の時計に本発明を適用した例を説明したが、ぜんまいを動力源としたいわゆる機械式時計に適用することも可能である。
機械式時計は、その一例として、上述したステップモータ３５の代わりに不図示の香箱車を設け、この香箱車のぜんまいを動力源として、時針、分針、および秒針が取り付けられた複数の歯車（二番車、三番車、四番車等）を、不図示の調速脱進機によってそれぞれ所定の周期で回転させることにより、時刻を表示するようになっている。
この様な機械式時計に本発明を適用した一例として、例えば、上述した機械式時計における複数の歯車の輪列の中の四番車（６０秒に１回転する）の代わりに秒伝達車５０を設けるようにすればよい。その他の構成は、上述したアナログクォーツ式の時計と同一である。
【００９８】
その他、本発明の趣旨を逸脱しない範囲で、上記した実施の形態における構成要素を周知の構成要素に置き換えることは適宜可能である。
【符号の説明】
【００９９】
１…時計  １０…ムーブメント  １５，１１５…秒表示部（表示部）  １６Ａ…第１小秒針（指示部）  １６Ｂ…第２小秒針（指示部）  １６Ｃ…第３小秒針（指示部）  １６Ｄ…第４小秒針（指示部）  １６Ｅ…第５小秒針（指示部）  １６Ｆ…第６小秒針（指示部）  ２２…表示機構  ３５…ステップモータ（駆動源）  ５１，１５１…秒駆動カム（カム）  ５４ａ…第１作動面（作動面）  ５４ｂ…第１保持面（保持面）  ５５ａ…第２作動面（作動面）  ５５ｂ…第２保持面（保持面）  ５６ａ…第３作動面（作動面）  ５６ｂ…第３保持面（保持面）  ５７ａ…第４作動面（作動面）  ５７ｂ…第４保持面（保持面）  ５８ａ…第５作動面（作動面）  ５８ｂ…第５保持面（保持面）  ５９ａ…第６作動面（作動面）  ７７Ａ…第１復針ばね（付勢部材）  ７７Ｂ…第２復針ばね（付勢部材）  ７７Ｃ…第３復針ばね（付勢部材）  ７７Ｄ…第４復針ばね（付勢部材）  ７７Ｅ…第５復針ばね（付勢部材）  ７７Ｆ…第６復針ばね（付勢部材）  ８１…第１レバー（レバー）  ８１ｆ，８２ｆ，８３ｆ，８４ｆ，８５ｆ，８６ｆ…爪部  ８２…第２レバー（レバー）  ８３…第３レバー（レバー）  ８４…第４レバー（レバー）  ８５…第５レバー（レバー）  ８６…第６レバー（レバー）  ８７Ａ…第１位置決めピン（位置決め部材）  ８７Ｂ…第２位置決めピン（位置決め部材）  ８７Ｃ…第３位置決めピン（位置決め部材）  ８７Ｄ…第４位置決めピン（位置決め部材）  ８７Ｅ…第５位置決めピン（位置決め部材）  ８７Ｆ…第６位置決めピン（位置決め部材）  １１９Ａ…第１秒表示板（指示部）  １１９Ｂ…第２秒表示板（指示部）  １１９Ｃ…第３秒表示板（指示部）  １１９Ｄ…第４秒表示板（指示部）  １１９Ｅ…第５秒表示板（指示部）  １１９Ｆ…第６秒表示板（指示部）  １５１ａ…作動面  １５１ｂ…保持面  Ｏ…中心軸（第１軸）
【図１】
0006670131.tif 000002
【図２】
0006670131.tif 000003
【図３】
0006670131.tif 000004
【図４】
0006670131.tif 000005
【図５】
0006670131.tif 000006
【図６】
0006670131.tif 000007
【図７】
0006670131.tif 000008
【図８】
0006670131.tif 000009
【図９】
0006670131.tif 000010
【図１０】
0006670131.tif 000011
【図１１】
0006670131.tif 000012
【図１２】
0006670131.tif 000013
【図１３】
0006670131.tif 000014